(57)【要約】本発明のらせん状巻きワイヤー挿入物用のノッチ形成抜取具（１０）は、挿入物にノッチを形成しこのノッチに受けられるように構成した歯（４２）を有する第２端（３４）を持つマンドレル（３０）を含む。第２端の反対側にある第１端（３２）は、マンドレルをハンドルに結合するハンドル部のブッシュ（２８）に受けられる。ハンドルの左回転は、マンドレルの第２端の周りに挿入物を収縮し、挿入物の除去を容易にする。
2004521763.tif 000002
【特許請求の範囲】
【請求項１】
後端を含む一連の巻回部を有するらせん状巻きワイヤー挿入物を母材に穿たれた穴から除去するためのノッチ形成抜取具であって、
先端部と先端部から横方向に伸びる歯を含む第２端と反対側の第１端を有するマンドレルを含み、歯は、ワイヤー挿入物の後端にノッチを形成し、先端部の周りに一連の巻回部を収縮するように構成され、ワイヤー挿入物は母材を傷つけることなく穿たれた穴から抜き取ることができ、
マンドレルを動作させてノッチを形成し、歯がワイヤー挿入物に係合した時ワイヤー挿入物を回転させるように操作可能な、マンドレルの第１端に接続されたハンドルとからなるノッチ形成抜取具。
【請求項２】
歯が、後端の材料を切りノッチを形成するような形状の面と肩部を含み、肩部は、さらに、ハンドルを回転すると、ノッチを形成する先端壁を引っ掛ける形状をしている請求項１のノッチ形成抜取具。
【請求項３】
歯が、さらに、挿入物からのマンドレルの除去を容易にする傾斜部を含む請求項２のノッチ形成抜取具。
【請求項４】
第２端が、さらに、傾斜部と歯の間に空隙を含み、空隙と傾斜部が協働して挿入物のノッチに歯を位置させる請求項３のノッチ形成抜取具。
【請求項５】
前記面が、第１の角度で先導端に向かって外側に傾斜している請求項２のノッチ形成抜取具。
【請求項６】
第１の角度が、約３度である請求項５のノッチ形成抜取具。
【請求項７】
前記面が、第２の角度で肩部に向かって傾斜している請求項２のノッチ形成抜取具。
【請求項８】
第２の角度が、約３〜５度である請求項７のノッチ形成抜取具。
【請求項９】
ハンドルが、マンドレルの第１端をハンドルに対して選択的に保持する連結装置を含む請求項１のノッチ形成抜取具。
【請求項１０】
ハンドルが、マンドレルの第１端を受けるブッシュを含み、連結装置が、マンドレルの第１端の周りにブッシュを押し付けてマンドレルをハンドルに対して選択的に保持する請求項９のノッチ形成抜取具。
【請求項１１】
後端を含む一連の巻回部を有するらせん状巻きワイヤー挿入物にノッチを形成し、挿入物を母材に穿たれた穴から除去するための工具と共に用いるマンドレルであって、
先端部と先端部から横方向に伸びる歯を含む第２端と反対側の第１端を有する本体を含み、歯は、挿入物にノッチを形成し先端部の周りに一連の巻回部を収縮するように構成され、ワイヤー挿入物は母材を傷つけることなく穿たれた穴から抜き取ることができるマンドレル。
【請求項１２】
第１端がマンドレルを工具に連結させるよう構成された請求項１１のマンドレル。
【請求項１３】
歯が、後端の材料を切りノッチを形成するような形状の面と肩部を含み、肩部は、さらに、ハンドルを回転すると、ノッチを形成する先端壁を引っ掛ける形状をしている請求項１１のマンドレル。
【請求項１４】
歯が、さらに、挿入物からのマンドレルの除去を容易にする傾斜部を含む請求項１３のマンドレル。
【請求項１５】
第２端が、さらに、傾斜部と歯の間に空隙を含み、空隙と傾斜部が協働して挿入物のノッチに歯を位置させる請求項１３のマンドレル。
【請求項１６】
前記面が、第１の角度で先導端に向かって外側に傾斜している請求項１３のマンドレル。
【請求項１７】
第１の角度が、約３度である請求項１６のマンドレル。
【請求項１８】
前記面が、第２の角度で肩部に向かって傾斜している請求項１３のマンドレル。
【請求項１９】
第２の角度が、約３〜５度である請求項１８のマンドレル。
【請求項２０】
後端を含むらせん状巻きワイヤー挿入物用のノッチ形成抜取具セットであって、
それぞれが第２端と第２端の反対側の第１端とを有する複数のマンドレルを含み、第２端のそれぞれは、直径が異なり、先端部と先端部から横方向に伸びる歯とを有し、歯は、挿入物の後端にノッチを形成し、挿入部と係合して回転させ、
ハンドルとブッシュを含む本体を含み、ブッシュは複数のマンドレルの１つの第１端を選択的に受け、ハンドルは、ノッチを形成し複数のマンドレルの前記１つを回転させ複数のマンドレルの前記１つの第２端の周りに挿入物を収縮させて挿入物を除去するよう操作可能であって、それによって複数のマンドレルの前記１つは、挿入物の内径と補完し、ノッチ形成あるいは挿入物の除去を容易にするよう複数のマンドレルから選択されるノッチ形成抜取具セット。
【請求項２１】
歯が、後端の材料を切りノッチを形成するような形状の面と肩部を含み、肩部は、さらに、ハンドルを回転すると、ノッチを形成する先端壁を引っ掛ける形状をしている請求項２０のノッチ形成抜取具セット。
【請求項２２】
歯が、さらに、挿入物からのマンドレルの除去を容易にする傾斜部を含む請求項２１のノッチ形成抜取具セット。
【請求項２３】
第２端が、さらに、傾斜部と歯の間に空隙を含み、空隙と傾斜部が協働して挿入物のノッチに歯を位置させる請求項２２のノッチ形成抜取具セット。
【請求項２４】
前記面が、第１の角度で先導端に向かって外側に傾斜している請求項２２のノッチ形成抜取具セット。
【請求項２５】
第１の角度が、約３度である請求項２４のノッチ形成抜取具セット。
【請求項２６】
前記面が、第２の角度で肩部に向かって傾斜している請求項２２のノッチ形成抜取具セット。
【請求項２７】
第２の角度が、約３〜５度である請求項２６のノッチ形成抜取具セット。
【請求項２８】
ハンドルが、マンドレルの第１端をハンドルに対して選択的に保持する連結装置を含む請求項２５のノッチ形成抜取具セット。
【請求項２９】
ブッシュが、複数のマンドレルの前記１つの第１端を受け、連結装置が、第１端の周りにブッシュを押し付けて複数のマンドレルの前記１つをハンドルに対して選択的に保持する請求項２８のノッチ形成抜取具セット。
【請求項３０】
先端部が、大径部と小径部とを含む請求項１のノッチ形成抜取具。
【請求項３１】
大径部が、小径部より大きな周囲を有する請求項３０のノッチ形成抜取具。
【請求項３２】
大径部が、一方の端部で傾斜した表面を含み、他方の端部で前記歯を含む請求項３０のノッチ形成抜取具。
【請求項３３】
小径部が、少なくとも部分的に傾斜部と歯の間の空隙を形成している請求項３０のノッチ形成抜取具。
【請求項３４】
先端部が、大径部と小径部とを含む請求項１１のノッチ形成抜取具。
【請求項３５】
大径部が、小径部より大きな周囲を有する請求項３４のノッチ形成抜取具。
【請求項３６】
大径部が、一方の端部で傾斜した表面を含み、他方の端部で前記歯を含む請求項３４のノッチ形成抜取具。
【請求項３７】
小径部が、少なくとも部分的に傾斜部と歯の間の空隙を形成している請求項３４のノッチ形成抜取具。
【請求項３８】
後端を含む一連の巻回部を有するらせん状巻きワイヤー挿入物を母材に穿たれた穴から除去するためのノッチ形成抜取具であって、
先端部と先端部から横方向に伸びる歯とを含む第２端と反対側の第１端を有するマンドレルを含み、歯は、肩部を有し、ワイヤー挿入物の後端にノッチを形成し先端部の周りに一連の巻回部を収縮するように構成され、ワイヤー挿入物は母材を傷つけることなく穿たれた穴から抜き取ることができ、
マンドレルを動作させてノッチを形成し、歯がワイヤー挿入物に係合した時ワイヤー挿入物を回転させるように操作可能な、マンドレルの第１端に接続されたハンドルと、
第１の長手方向平面と第２の長手方向平面の交線によって形成される、第２端の軸中心を通る長手方向中心軸とを含む、ノッチ形成抜取具。
【請求項３９】
肩部が第１の長手方向平面から傾斜している請求項３８のノッチ形成抜取具。
【請求項４０】
肩部が第１の長手方向平面から約１２度傾斜している請求項３９のノッチ形成抜取具。
【請求項４１】
肩部が挿入部にカム力を印加するようににノッチと係合する請求項３８のノッチ形成抜取具。
【発明の詳細な説明】
【技術分野】
【０００１】
本発明は、らせん状に巻かれたワイヤー挿入物のための工具に関し、より具体的には、らせん状に巻かれた挿入物と関連して使用するためのノッチ形成抜取具に関する。
【背景技術】
【０００２】
らせん状巻きワイヤー挿入物除去用工具は公知である。一般的に、これらの工具は、挿入物の内径ネジ山に押し入れられる１対のナイフ刃を持つテーパーブレードを有する。このような工具は、米国特許第６，１７１，０４０号に記載されている。しかしながら、これらの工具を用いて挿入物を抜き取るとき、挿入物とその周りの母材が永久に傷つくことがよくある。
【０００３】
らせん状巻きワイヤー挿入物用の他の種類の除去具が、米国特許第４，５５３，３０３号に記載されているが、それは、ネジ山を切った先端部と、穿たれた穴から挿入物を抜き取るために挿入物の後端のノッチと係合するようにネジ山部分の下方の溝に挿入された枢動可能なツメとを有するマンドレルからなる。この枢動可能なツメは、マンドレルを引くと自動的に挿入物と係合して、マンドレルが挿入物を抜き取るのを可能にする。この公知の抜取具は、挿入物の母材を傷つけないが、デザインが比較的複雑で、うまく作動しない可能性が高いという問題がある。さらに、挿入物一つ一つに相補的な大きさの工具を必要とするので、前記特許が教示する１組の工具は、比較的高価である。
【０００４】
らせん状巻きワイヤー挿入物用改良型抜取及び調整具が、同時係属米国出願第０９／５９６，０３５号に記載されているが、この出願は、引用によりここに組み込まれる。そこに記載の抜取及び調整具は、先行技術に比べ大幅な進歩であると信じられるが、既にノッチがあるコイル端を有する挿入物に用いるのに特に適している。
【発明の開示】
【課題を解決するための手段】
【０００５】
らせん状巻きワイヤー挿入物用抜取具は、挿入物の後端にノッチを形成するための固定歯を有するネジ山のない先端部を持つマンドレルを含む。ノッチを形成した後、この抜取具を用いて穿たれた穴から挿入物を抜き取ることができる。抜取具は、特定の寸法のらせん状巻きワイヤー挿入物に合うようにしたマンドレルを選択的に受けるブッシュを有するハンドル部を備えてもよいし、挿入物の除去を行う電動工具と関連させて用いてもよい。いったん抜取具が挿入物の内径に挿入されノッチが形成されると、固定歯が挿入物の後端のノッチに係合し、ワイヤー挿入物を抜き取る。
【発明を実施するための最良の形態】
【０００６】
図面、特に図１及び図２には、らせん状巻きワイヤー挿入物と関連して用いられる抜取具１０が示されている。らせん状挿入物は、例えば、従来のネジ山を有するスティール製留め具をアルミニウムのような比較的柔らかい合金材料に留めつけるのが望まれる場合に用いられる。らせん状挿入物は、突起型、無突起型、ネジ固定型のいずれであってもよい。本発明の抜取具１０は、一方の端に手動ハンドル２２、反対の端に連結器２４を備えてもよい。連結器２４は、抜取具１０のマンドレル３０を選択的に受け入れ、図６、７、９及び１３に示すように、母材１８に穿たれた穴の中のらせん状挿入物１４を除去する際にマンドレル３０を支持する。または、抜取具１０は、電動ドリルまたはねじまわし（図示しない）のようなモータで電動駆動するビットまたはマンドレルであってもよい。
【０００７】
図２に示すように、マンドレル３０は、連結器２４に挿入するための第１端３２を有し、連結器２４は、選択的にブッシュ２８を第１端３２に押し付ける。連結器２４は、ハンドル２２の端部２６に切られた外側ネジ山に締められる内側ネジ山を有するナット部５０を備える。端部２６に完全に締められると、連結器２４のナット部５０は、ブッシュ２８をマンドレル３０の第１端３２に押し付けることによって、マンドレル３０をハンドル２２に固定する。好ましくは、マンドレル３０の径は、穿たれた穴１６の内径に案内される。
【０００８】
図３及び図４に最もよく示されるように、第１端３２の反対側の端で、マンドレル３０は、第２端３４を有し、この第２端は、大径部３６と小径部３７とを有する先端部３８を持つ。大径部３６は、らせん状挿入物１４が穿たれた穴１６に設置され母材１８に対して拡張された際のらせん状挿入物１４の内径に近づく。より具体的には、大径部３６は、設置された状態の挿入物１４の内径より僅かに小さく、これによって、設置された挿入物１４中に先端部３８が軸方向に容易く挿入される。大径部３６は、先端部３８の周囲の一部に広がる。具体的には、大径部３６は、先端部３８の周囲の４分の３に広がり、一方の端で傾斜した表面４１を有し、もう片方の端で歯４２を有する。傾斜表面４１と歯４２の間の空隙３９は、小径部３７を露出する。最後に、第２端３４の傾斜した先導端４０が、小径部３７の頭部を位置し、マンドレル３０が挿入物１４中へ挿入するのを容易にする。
【０００９】
図３、図４、図５ａ及び図５ｂに示すように、長手方向中心軸５８が第２端３４の軸中心を通る。図５ａに最も良く示されるように、長手方向中心軸５８は、第１の長手方向平面６０と第２の長手方向平面６２との交線によって定められる。軸とこれらの平面は、下記の説明のために図示されている。
【００１０】
図７〜９に示すように、挿入物１４は、後端１３にノッチ１２を含む。図８に最も良く示されるように、ノッチ１２は、抜取具の歯またはツメを位置させるための先端壁５４と１対のカム表面５２ａと５２ｂとを含む。下記に記載するように、発明に係る抜取具１０は、このノッチ１２を形成するだけでなく、このノッチを用いてらせん状挿入物１４を除去する。
【００１１】
この目的のために、図５ａに示すように、大径部３６の一方の端に形成された歯４２は、らせん状挿入物１４の後端１３にノッチ１２を形成し、それに係合するするようになっている。より具体的には、歯４２は、面４３と傾斜部４４と肩部４５を含む。
【００１２】
図３に最も良く示されるように、面４３は、長手方向中心軸５８に対して垂直な平面にある垂線Ｎ１から角度α、好ましくは約３度、傾斜先導端４０の方へ外側に傾斜している。本発明による許容可能な角度αは、好ましくは、１度から１５度の間である。図４に示すように、面４３はまた、長手方向中心軸５８に対して垂直な平面にある垂線Ｎ２から角度β、好ましくは約３度〜５度、傾斜部４４から肩部４５へと傾斜している。本発明による許容可能な角度βは、好ましくは、１度から１５度の間である。図５ａに最も良く示されるように、肩部４５は、角度χ、好ましくは約１２度、第１の長手方向平面６０から傾斜している。本発明による許容可能な角度χは、好ましくは、５度から１５度の間である。
【００１３】
図３〜５ａに示すように、第１の切刃４３ａは、面４３と歯４２の上面との交線に形成され、第２の切刃４３ｂは、面４３と肩部４５との交線に形成される。切刃４３ａと４３ｂは、下記に記載するように、挿入物１４にノッチを形成することができる複合角を形成する。
【００１４】
本発明の変形例が、図５ｂに示される。ここでは、歯４２’は、大径部３６の一方の端に形成されている。歯４２と同様に、歯４２’は、らせん状挿入物１４の後端１３にノッチを形成し、それに係合するようになっている。より具体的には、歯４２’は、面４３’の側面に位置する肩４５ａと４５ｂとを含む。
【００１５】
図３に示される歯４２の面４３と同様に、面４３’は、長手方向中心軸５８に対して垂直な平面にある垂線Ｎ１から角度I、好ましくは約３度、傾斜先導端４０の方へ外側に傾斜している。本発明による許容可能な角度Iは、好ましくは、１度から１５度の間である。図４に示される歯４２の面４３と同様に、面４３’は、長手方向中心軸５８に対して垂直な平面にある垂線Ｎ２から角度θ、好ましくは約３度〜５度、肩部４５ａから肩部４５ｂへと傾斜している。本発明による許容可能な角度θは、好ましくは、１度から１５度の間である。図５ｂに最も良く示されるように、肩部４５ａ、４５ｂは、第１の長手方向平面６０のような長手平面から１２度傾斜している。本発明による許容可能な角度_,_’は、好ましくは、５度から１５度の間である。
【００１６】
図３〜５ａの歯４２について示した切刃と同様、第１の切刃４３ａ’が面４３’と刃４２‘の上面の交線に形成され、第２の切刃４３ｂ’が面４３’と肩部４５ｂの交線によって形成されている。切刃４３ａ’と４３ｂ’は、下記に説明するように挿入物１４にノッチを切ることができる複合角を形成する。
【００１７】
ノッチ１２を形成するために、先端部３８の傾斜した先導端４０は、図６に示すように、らせん状挿入物１４と同軸に並べられる。第２端３４は、穿たれた穴１６の中に必要な深さまで挿入される。図６に矢印Ｄで示される軸方向の駆動力が抜取具１０に加えられ切刃４３ａ’と４３ｂ’を挿入物１４の後端１３の一部に当てる。下向きの駆動力は、工具１０にハンマーを打ち付けることによって手で生成されてもよいし、空気圧や電気で動かすシステム等の動力源付工具（図示しない）を使用することによって生成されてもよい。
【００１８】
図７に示すように、切刃４３ａ及び４３ｂは、後端１３に当って、後端１３の材料を切り取りノッチ１２を歯１２と相補的な形状に形成する。面４３と肩部４５の傾斜表面は、切り取られた材料が簡単に除去できるように材料を挿入物１４から遠ざける形状になっている。
【００１９】
抜取具１０は、ノッチ１２を形成すると、図８ａ、８ｂ及び９に示すように、挿入物１４を抜き取るのに用いることができる。挿入物の抜取りは、ノッチ形成工程後も歯４２がノッチ１２に係合している状態で行われる。或いは、例えば、作業者が他の作業に抜取具１０を用いるためにノッチ１２から歯４２を外すことを望むのであれば、歯４２をノッチ１２から外して後に再度係合させてもよい。歯４２とノッチ１２の再係合は、歯４２の形状によって行うことができる。特に、歯４２の傾斜部４４によって、新しく形成されたノッチ１２の表面５２ａ及び５２ｂにカム運動させて、挿入部１４のノッチ１２中に歯４２を容易に位置させることができる。
【００２０】
いずれの場合も、歯４２がノッチ１２と係合すると、マンドレル３０の左回転によってマンドレル３０の先端部３８の周りに挿入物１４が収縮される。より具体的には、肩部４５が先端壁５４に当り、先端部３８の周りに挿入物１４を締め付け、それによって挿入物１４は、母材１８に対して拡張されなくなる。一旦収縮されると、挿入物１４に対するマンドレル３０の左方向駆動力を続けて加えることによって除去が可能になる。除去に続いて歯４２をノッチから外すには、マンドレル３０を軽く右回転させる（約１／４回転）ことによって、傾斜部４４を表面５２ｂに沿ってカム運動させて歯４２をノッチから外すことができる。
【００２１】
図８ｂは、上記に記載したような歯４２’が挿入物１４に係合しているところを表す。より具体的には、歯４２’は、ノッチ１２と同じような形状のノッチ１２’に係合する。つまり、抜取具１０の先端部３８の傾斜先導端４０を同軸に並べ、第２端を穿たれた穴の中に必要な深さまで挿入すると、軸方向駆動力が抜取具１０に加えられ、切刃４３ａ’及び４３ｂ’を挿入物１４の後端の一部に当てる。切刃４３ａ’及び４３ｂ’は、後端１３から材料を取り去り、ノッチ１２’を歯４２’に相補的な形状に形成する。面４３’と肩部４５ａ及び４５ｂの傾斜表面は、切り取られた材料が簡単に除去できるように材料を挿入物１４から遠ざける形状になっている。前記同様、抜取具１０は、ノッチ１２の形成に続いて、挿入物１４を抜き取るのに用いることができる。また前記同様、歯４２’がノッチ１２’と係合すると、マンドレル３０の左回転によってマンドレル３０の先端部３８の周りに挿入物１４が収縮される。より具体的には、肩部４５ａが先端壁５４に当り、先端部３８の周りに挿入物１４を締め付け、それによって挿入物１４は、母材１８に対して拡張されなくなる。一旦収縮されると、挿入物１４に対するマンドレル３０の左方向駆動力を続けて加えることによって除去が可能になる。除去に続いて歯４２’をノッチ１２’から外すには、歯４２’がノッチ１２’から外れるまで挿入物１４をマンドレル３０から軸方向に滑らせなければならない。
【００２２】
図１１〜１３には、ねじ固定式挿入物１４’が示される。挿入物１４’は、挿入物１４’の一連の巻きの中に間欠的に配置されるのが好ましい小巻き部１５を含む。図１２に最もよく示されるように、小巻き部１５は、中間把持平坦部１７を含む略六角形の内径を有する。図１３に最もよく表されるように、先端部３８の小径部３７は、ねじ固定式挿入物１４’の中間把持平坦部１７上に案内するように構成される。小巻き部１５の中間把持平坦部１７上への小径部３７の係合は、ねじ固定式挿入物１４’の除去を容易にする。
【００２３】
抜取具１０を使用するには、使用者は、単に、歯４２が挿入物１４’の後端１３に当たってノッチ１２を切るまで、母材１８に穿たれた穴１６に設置された挿入物１４’中にマンドレル３０の第２端３４を挿入する。この工程は、挿入物１４について上記に記載したのと同じであるので、ここでは繰返さない。
【００２４】
ノッチ１２が形成されると、歯４２がノッチと係合し、歯４２は、歯４２の左回転によって挿入物１４’を取り除く位置になる。挿入物１４に関して上記に記載したように、挿入物１４’の抜取りは、歯４２とノッチ１２が係合し続けている時、あるいは、歯４２とノッチ１２が外され再度係合された時に行われる。歯４２とノッチ１２の再係合の過程は、挿入物１４に関して説明したものと同じであるので、ここでは繰返さない。
【００２５】
前述したように、歯４２がノッチと係合されると、マンドレル３０の左回転によってマンドレル３０の先端部３８の周りに挿入物１４が収縮される。一旦肩部４５が先端壁に当たると、挿入物１４’は、先端部３８の周りに締り、これによって挿入物１４’は、母材１８に対してもはや拡張しなくなる。挿入物１４’に対してマンドレル３０の左回転駆動力を引き続き加えると、穿たれた穴１６から挿入物を除去することができる。除去に続いて歯４２をノッチ１２から外すには、マンドレル３０を軽く右回転（約１／４回転）させると、歯４２がノッチ１２から外れる。
【００２６】
抜取具１０によって、母材１８に穿たれた穴１６の中に設置後のらせん状挿入物１４、１４‘のノッチ形成と除去ができる。抜取具１０は、母材１８に損傷を加えることのないノッチ形成と挿入物１４、１４‘の除去を提供する。従って、抜取具１０は、正しく設置されなかったり損傷を受けた挿入物にノッチを形成し、除去する比較的簡単で安価な方法を提供する。
【００２７】
これまで、上記の抜取具１０を単一のマンドレルを含むものとして説明してきたが、図１０に示すように、異なる大きさの挿入物１４、１４’に対応する異なる大きさの一連の複数のマンドレル３０を提供するのが好ましい。従って、ノッチ形成抜取具セット１０は、単一の工具本体２０を有し、除去すべき挿入物１４、１４’の大きさに対応したマンドレル３０，３０’、３０’’、３０’’’を単に選択することによって異なる大きさの挿入物１４、１４’を除去できる。連結器２４によって、選択されたマンドレル３０をハンドル２２に簡単に結合させることができる。さらに、マンドレル３０は、様々な市販の種類のハンドルや他の種類の機械的保持具と共に使用できる大きさの第１端３２を含む。図示するように、マンドレル本体は、断面がほぼ円形であるが、例えば正方形や六角形のような他のいかなる形状にも作ることができる。従って、発明のマンドレル３０は、抜取具１０の本体２０と独立して用いることができる。
【００２８】
いまや当業者は、上記の説明から、本発明の広い教示を多様な形態に実行できることが理解できる。従って、本発明をその具体例について説明したが、発明の真の範囲は、具体例に示されたようなものに限定されるべきではない。というのは、図面、明細書及び請求項を検討すれば他の変形も当業者には明らかであろうからである。
【図面の簡単な説明】
【００２９】
【図１】本発明に関わるらせん状挿入物用のノッチ形成抜取具の正面図である。
【図２】図１のノッチ形成抜取具の部分断面図である。
【図３】図１のノッチ形成抜取具の先導端の部分側面図である。
【図４】図１のノッチ形成抜取及び調整具の先導端の部分平面図である。
【図５ａ】図１のノッチ形成抜取具の先導端の端面図である。
【図５ｂ】本発明に関わるノッチ形成抜取具の先導端の他の実施態様の端面図である。
【図６】図１〜４、５ａ及び５ｂに示すノッチ形成抜取具の先導端の部分断面図であり、母材の穴に設置されたらせん状巻きワイヤー挿入物にノッチを形成する前の状態を表す。
【図７】図６に示すノッチ形成抜取具の先導端の部分断面図であり、母材の穴に設置されたらせん状巻きワイヤー挿入物にノッチを形成している状態を表す。
【図８ａ】図７に示すノッチ形成抜取具の先導端の部分断面平面図であり、らせん状巻きワイヤー挿入物の内径に係合している状態を表す。
【図８ｂ】図５ｂに示すノッチ形成抜取具の先導端の部分断面平面図であり、らせん状巻きワイヤー挿入物の内径に係合している状態を表す。
【図９】図１に示すノッチ形成抜取具の先導端の部分断面図であり、母材の穴かららせん状巻きワイヤー挿入物を取り除いている状態を表す。
【図１０】異なる寸法の先導端を有する一組のノッチ形成抜取具の斜視図である。
【図１１】図１のノッチ形成抜取具と共に用いるねじ固定式挿入物の側面図である。
【図１２】図１１の線１２−１２におけるねじ固定式挿入物の断面図である
【図１３】図１〜４、５ａ及び５ｂに示すノッチ形成抜取具の先導端の部分断面図であり、母材の穴に設置された図１１〜１２のねじ固定式挿入物の内径に係合している状態を表す。
【国際公開パンフレット】
2004521763.tif 000003
2004521763.tif 000004
2004521763.tif 000005
2004521763.tif 000006
2004521763.tif 000007
2004521763.tif 000008
2004521763.tif 000009
2004521763.tif 000010
2004521763.tif 000011
2004521763.tif 000012
2004521763.tif 000013
2004521763.tif 000014
2004521763.tif 000015
2004521763.tif 000016
2004521763.tif 000017
2004521763.tif 000018
2004521763.tif 000019
2004521763.tif 000020
2004521763.tif 000021
2004521763.tif 000022
2004521763.tif 000023
2004521763.tif 000024
【国際調査報告】
2004521763.tif 000025
2004521763.tif 000026
2004521763.tif 000027